(57)【特許請求の範囲】
【請求項１】
各種部材が組み付けられるベース部材に、リールの可変表示を行う可変表示部を視認可能とする表示パネルと、該表示パネルの周縁部を保持する前面カバー部材と、該前面カバー部材の発光源となるランプを実装したランプ基板を有する装飾部材と、スピーカと、を備えて前面枠を構成し、該前面枠を本体枠の一側方に回動可能に軸支した遊技機において、
前記前面枠の裏面側には、
当該前面枠への取付部となる取付板を有し、かつ、前記前面枠を本体枠の一側で回動自在に支持する蝶番装置を一方の側部に備えるとともに、
当該前面枠への取付部となる取付板を有し、かつ、前記前面枠を閉止状態で維持可能な施錠装置を他方の側部に備え、
前記前面カバー部材は、前方に膨出した膨出形状をなし、
前記ベース部材の上側両隅部に、前記スピーカが前方を臨む状態で配設し、該スピーカが配設されたベース部材に、前面から前記前面カバー部材を取り付けることで、前記ベース部材と前記前面カバー部材との間であって前記スピーカの前方に前記装飾部材を収納する収納部を形成し、
前記収納部は、前記前面枠の側部に開口部を有し、
前記装飾部材は、前記ベース部材に形成された装飾部材止着部により該ベース部材に止着され、
前記収納部の開口部を閉塞して前記前面枠の外壁面を構成する壁部と、
前記ランプ基板を取付可能な基板取付部と、を備え、
前記基板取付部は、前記壁部と略垂直な板状の起立面を有し、
前記起立面の前面側には、前記ランプ基板を取り付けるための第１取付支柱を立設する一方、前記起立面の裏面側には、前記装飾部材を前記ベース部材に取り付けるための第２取付支柱を立設し、
前記装飾部材止着部は、
前後方向に貫通する貫通穴を有する止着片と、
前記止着片の周縁から前方に向けて突設され、前記基板取付部の第２取付支柱を位置決めする位置決め壁と、を備え、
前記収納部の開口部から前記装飾部材を挿入し、該収納部の開口部周縁に形成した窪みに、前記装飾部材の壁部を嵌入させるとともに、前記基板取付部の第２取付支柱を位置決め壁に嵌合させ、
前記取付板に設けた止着部材挿通孔を介して、前記止着片の貫通穴と前記第２取付支柱の止着穴に、前記止着部材を通すことにより前記装飾部材を前記ベース部材に止着するようにしたことを特徴とする遊技機。
【発明の詳細な説明】
【技術分野】
【０００１】
本発明は、本体枠の一側方に回動可能に軸支された前面枠を備える遊技機に関する。
【背景技術】
【０００２】
一般に、パチスロ遊技機等の遊技機には、本体枠に対して回動自在な状態で前面枠が取り付けられている。
前面枠には、例えば、光による演出を行うためのランプ基板や、音による演出を行うためのスピーカなどを含む、数多くの部材が配設されている。
一方で、前面枠の大きさは概ね決まっていて、上記各部材を配置可能なスペースも限られていることから、上記部材の多くは前後に重なり合う状態で前面枠に取り付けられている（例えば、特許文献１参照）。
【特許文献１】特開２０００−１９７７５５号公報
【発明の開示】
【発明が解決しようとする課題】
【０００３】
しかしながら、上記従来の遊技機では、多くの部材が前後に重なり合う状態で前面枠に取り付けられていたため、例えば、前面枠の比較的前側に配置されるランプ基板にランプ切れ等の故障が発生して、ランプ基板を交換する場合などには、ランプ基板の着脱に障害となる他の部材（例えば、ランプ基板の背部に配置される部材）を一旦取り外さなければならないという煩わしさがあった。
このため、ランプ基板を取り外すには、大変手間と時間がかかり、それがランプ基板の交換やリサイクルを困難なものとしていた。
【０００４】
本発明は、上記実情に鑑みなされたもので、ランプ基板の着脱が容易な遊技機を提供することを目的とする。
【課題を解決するための手段】
【０００５】
以上の課題を解決するため、請求項１に記載の発明は、
各種部材が組み付けられるベース部材に、リールの可変表示を行う可変表示部を視認可能とする表示パネルと、該表示パネルの周縁部を保持する前面カバー部材と、該前面カバー部材の発光源となるランプを実装したランプ基板を有する装飾部材と、スピーカと、を備えて前面枠を構成し、該前面枠を本体枠の一側方に回動可能に軸支した遊技機において、
前記前面枠の裏面側には、
当該前面枠への取付部となる取付板を有し、かつ、前記前面枠を本体枠の一側で回動自在に支持する蝶番装置を一方の側部に備えるとともに、
当該前面枠への取付部となる取付板を有し、かつ、前記前面枠を閉止状態で維持可能な施錠装置を他方の側部に備え、
前記前面カバー部材は、前方に膨出した膨出形状をなし、
前記ベース部材の上側両隅部に、前記スピーカが前方を臨む状態で配設し、該スピーカが配設されたベース部材に、前面から前記前面カバー部材を取り付けることで、前記ベース部材と前記前面カバー部材との間であって前記スピーカの前方に前記装飾部材を収納する収納部を形成し、
前記収納部は、前記前面枠の側部に開口部を有し、
前記装飾部材は、前記ベース部材に形成された装飾部材止着部により該ベース部材に止着され、
前記収納部の開口部を閉塞して前記前面枠の外壁面を構成する壁部と、
前記ランプ基板を取付可能な基板取付部と、を備え、
前記基板取付部は、前記壁部と略垂直な板状の起立面を有し、
前記起立面の前面側には、前記ランプ基板を取り付けるための第１取付支柱を立設する一方、前記起立面の裏面側には、前記装飾部材を前記ベース部材に取り付けるための第２取付支柱を立設し、
前記装飾部材止着部は、
前後方向に貫通する貫通穴を有する止着片と、
前記止着片の周縁から前方に向けて突設され、前記基板取付部の第２取付支柱を位置決めする位置決め壁と、を備え、
前記収納部の開口部から前記装飾部材を挿入し、該収納部の開口部周縁に形成した窪みに、前記装飾部材の壁部を嵌入させるとともに、前記基板取付部の第２取付支柱を位置決め壁に嵌合させ、
前記取付板に設けた止着部材挿通孔を介して、前記止着片の貫通穴と前記第２取付支柱の止着穴に、前記止着部材を通すことにより前記装飾部材を前記ベース部材に止着するようにしたことを特徴とする。
【０００６】
請求項１に記載の発明によれば、ランプ基板を有する装飾部材を収納部の開口部から挿入し、ベース部材に設けた装飾部材止着部に前面枠の裏面側から止着部材を取り外し可能に止着して、装飾部材をベース部材に取り付けるようにしたので、前面枠の裏面側から止着部材を取り外すことによって、前面枠の側部から、収納部に収納されている装飾部材が有するランプ基板を取り出すことができる。
従って、ランプ基板の着脱が容易となる。よって、例えば、ランプ基板にランプ切れ等の故障が発生した場合には、ランプ基板の交換作業が容易となり、ランプ基板をリサイクルする場合には、ランプ基板の分離回収作業が容易となる。
また、収納部の開口部周縁に形成した窪みに、装飾部材の壁部を嵌入させると共に、基板取付部の第２取付支柱を位置決め壁に嵌合させ、止着片の貫通穴と第２取付支柱の止着穴に、止着部材を通すことにより、装飾部材をベース部材に止着するようにしたので、装飾部材が有するランプ基板の着脱が容易となる。
また、取付板を止着片の背部に配設し、止着部材を取付板に設けた止着部材挿通孔を介して、前面枠の裏面側から取り外し可能としたので、装飾部材を取り外す際に、取付板を取り外す手間を省くことができる。即ち、前面枠の裏面側から止着部材を取り外すことによって、前面枠の側部から、収納部に収納されている装飾部材が有するランプ基板を取り出すことができる。
【０００７】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。
また、壁部は、透光性を有する壁部と、遮光性を有する壁部の何れとしても良い。例えば、透光性を有する壁部であれば、ランプ基板のランプにより壁部を発光させることが可能となり、一方、遮光性を有する壁部であれば、該壁部で収納部内を視認不能に遮蔽することが可能となる。
【発明の効果】
【０００８】
本発明によれば、ランプ基板を有する装飾部材を収納部の開口部から挿入し、ベース部材に設けた装飾部材止着部に前面枠の裏面側から止着部材を取り外し可能に止着して、装飾部材をベース部材に取り付けるようにしたので、前面枠の裏面側から止着部材を取り外すことによって、前面枠の側部から、収納部に収納されている装飾部材が有するランプ基板を取り出すことができる。
従って、ランプ基板の着脱が容易となる。よって、例えば、ランプ基板にランプ切れ等の故障が発生した場合には、ランプ基板の交換作業が容易となり、ランプ基板をリサイクルする場合には、ランプ基板の分離回収作業が容易となる。
また、収納部の開口部周縁に形成した窪みに、装飾部材の壁部を嵌入させると共に、基板取付部の第２取付支柱を位置決め壁に嵌合させ、止着片の貫通穴と第２取付支柱の止着穴に、止着部材を通すことにより、装飾部材をベース部材に止着するようにしたので、装飾部材が有するランプ基板の着脱が容易となる。
また、取付板を止着片の背部に配設し、止着部材を取付板に設けた止着部材挿通孔を介して、前面枠の裏面側から取り外し可能としたので、装飾部材を取り外す際に、取付板を取り外す手間を省くことができる。即ち、前面枠の裏面側から止着部材を取り外すことによって、前面枠の側部から、収納部に収納されている装飾部材が有するランプ基板を取り出すことができる。
【発明を実施するための最良の形態】
【０００９】
以下、この発明の実施の形態について、図１〜図１０の図面を参照しながら説明する。
図１は、本発明に係る遊技機の一形態として例示するパチスロ遊技機の正面図である。図２は、図１のパチスロ遊技機の右側面図である。
【００１０】
この実施の形態のパチスロ遊技機１００は、遊技媒体にコインを用いた遊技機であって、その本体枠１には、前面枠２が左端を軸心として片開き形式に開閉自在に取り付けられている。
【００１１】
前面枠２の上半部には、図１に示すように、表示パネル３が取り付けられている。この表示パネル３の背部には、３個のリール４ａ、４ｂ、４ｃが回転自在な状態で配置されており、表示パネル３のほぼ中央には、各リール４ａ、４ｂ、４ｃの外周面に表記されている図柄を３個ずつ視認可能とする透明なリール表示窓部４が設けられている。
各リール４ａ、４ｂ、４ｃは、コインを賭けた（ベットした）状態でスタートレバー６（後述）が押圧されて所定時間経過するか、或いは対応するストップボタン７ａ、７ｂ、７ｃ（後述）の押圧により順次停止するようになっており、各リール４ａ、４ｂ、４ｃが停止した状態において、リール表示窓部４を通して視認可能な可変表示部４Ａにおける表示結果が予め定められた特定の表示結果態様となった場合（例えば、有効ライン上の図柄が揃った場合など）に、遊技者にとって有利な特定遊技状態（例えば、ボーナスゲームなど）が発生し、該特定遊技状態の発生に関連して、所要数のコインが遊技者に対して付与される（払出装置よりコインが払い出されるか、或いはクレジットとして記憶される）ようになっている。
【００１２】
表示パネル３の上部には、図１に示すように、可変表示部４Ａにおける可変表示に関連して所定の演出表示を行う演出表示部５が設けられている。一方、表示パネル３の下部には、コインの払出枚数を表示する払出枚数表示部８、遊技の進行に関する表示を行う遊技進行表示部１１、コインのクレジット枚数を表示するクレジット枚数表示部１２等が設けられている。表示パネル３の右側には、遊技状態に関する表示を行う遊技状態表示部２６が設けられ、表示パネル３の左側には、コインのベット枚数を表示するベット枚数表示部２５が設けられている。
【００１３】
表示パネル３の周囲には、前方に膨出する膨出形状の前面カバー部材６５，６５、６６が装着され、これら前面カバー部材６５，６５、６６の中、透光性を有する前面カバー部材６６の背部には、前面カバー部材６６の発光源となるランプを実装したランプ基板７３、５１，５１（図４）や、スピーカ７７，７７（図４）などが配設されている。
【００１４】
前面枠２中央の傾斜面２２には、ベットするコインを投入するコイン投入口１５、コインのベット枚数（賭け枚数）を押圧回数によって設定可能な１ベットボタン１０、コインのベット枚数を限度枚数（例えば、３枚）に設定可能なマックスベットボタン９が配設されている。即ち、コイン投入口１５より所要数のコインを投入した状態或いは所要数のコインがクレジットされている状態で、１ベットボタン１０或いはマックスベットボタン９を押圧することで、コインのベット枚数を設定することができ、このベット枚数に応じて有効ライン（有効な表示ライン）のパターンを設定することができる。
【００１５】
前面枠２の下半部には、矩形状の化粧パネル１９が設けられ、この化粧パネル１９の上方には、クレジットされたコインを返却するためのコイン返却スイッチ１８、可変表示部４Ａにおける可変表示を開始する（つまり、各リール４ａ、４ｂ、４ｃの回転を開始する）ためのスタートレバー６、各々のリール４ａ、４ｂ、４ｃの回転を停止させるためのストップボタン７ａ、７ｂ、７ｃ、施錠装置４０（後述）の鍵穴４０ａ等が設けられている。また、化粧パネル１９の下方には、本体枠１に設置された払出装置（図示省略）より払い出されたコインを貯留可能な受皿２３や、灰皿２１などが設けられている。
【００１６】
図３は、前面枠の背面図である。
【００１７】
前面枠２の背部には、図３に示すように、コイン投入口１５より投入されたコインを払出装置に流下案内すると共にコイン投入口１５より投入されたコインが詰まった場合にコインの詰まりを解消してコインを受皿２３へと返却可能な返却機構１６が設置され、この返却機構１６の下方には、返却機構１６より排出されたコインや払出装置から払い出されたコインを受皿２３へと流下案内する誘導樋２４が設けられている。
【００１８】
前面枠２裏面側の一方の側部には、前面枠２を閉止状態で維持可能な施錠装置４０が取り付けられ、他方の側部には、前面枠２を本体枠１の一側で回動自在に支持する蝶番装置３０が取り付けられている。蝶番装置３０と施錠装置４０の各々は、前面枠２への取付部となる取付板３１、４１を備え、これら取付板３１、４１は、各々の上端部にて連結板３４を介して相互に連結されている。
【００１９】
図４は前面枠上半部の分解斜視図である。
【００２０】
前面枠２は、上下のベース部材６０Ａ、６０Ｂを結合してなる取付ベース部材６０（図２参照）に、各種部材を組み付けて構成されている。
即ち、上部ベース部材６０Ａの前面側には、図４に示すように、表示パネル３を収容するための凹状のパネル収容部３ａが設けられ、このパネル収容部３ａには、前述したリール表示窓部４と対応する位置に矩形状の開口部４ｄが設けられている。さらに、払出枚数表示部８、遊技進行表示部１１、クレジット枚数表示部１２、ベット枚数表示部２５、遊技状態表示部２６などの各表示部と対応する位置には、開口部７４ａ、７５ａ、７６ａがそれぞれ設けられ、上部ベース部材６０Ａの背部には、それら開口部７４ａ、７５ａ、７６ａを介して前方を臨む状態で、表示用ＬＥＤ基板７４、７５、７６がそれぞれ取り付けられている。
また、パネル収容部３ａの上部には、開口部４ｅを閉塞する状態で、上部ベース部材６０Ａの裏面側から演出表示ユニット７０が取り付けられている。この演出表示ユニット７０には、前述した演出表示部５を構成する表示器５ａや、表示パネル３の発光源となるランプ基板５ｂ，５ｂなどが配設され、表示器５ａの背部には、各種電気部品（例えば、ランプ基板５１，５１、スピーカ７７，７７など）から延びる信号線を中継する中継基板７８（図３）が配設されている。
【００２１】
また、パネル収容部３ａの上方には、開口部７３ａを介して前方を臨む状態で、前面カバー部材６６の発光源となるランプ基板７３が設置されている。また、上部ベース部材６０Ａの上側両隅部には、開口部７７ａ，７７ａが設けられ、該開口部７７ａ，７７ａには、スピーカ７７，７７が前方を臨む状態でそれぞれ設置されている。
また、上部ベース部材６０Ａの上側両側部には、装飾部材止着部８５，８５がそれぞれ設けられ、該装飾部材止着部８５，８５には、本発明に係る装飾部材５０が取り付けられている。これら装飾部材止着部８５及び装飾部材５０については、後で詳細に説明する。
【００２２】
そして、パネル収容部３ａには表示パネル３が収容され、パネル収容部３ａの周囲（上部、側部）には、表示パネル３の周縁部を上部ベース部材６０Ａとの間に挟んで表示パネル３を押し付け保持する状態で、前面カバー部材６６、６５，６５（図２）が取り付けられている。前面カバー部材６６を上部ベース部材６０Ａに取り付けた状態において、上部ベース部材６０Ａと前面カバー部材６６との間には、図５に示すように、前面枠２の側部（図２参照）に開口部８０Ａを有する凹状の収納部８０が左右両側にそれぞれ形成されるようになっている。
また、上部ベース部材６０Ａには、上記開口部８０Ａと対応する位置に、前方に突出する突条８７が形成され、前面カバー部材６６には、上記開口部８０Ａと対応する位置に、段部６６ａが形成されている。これら突条８７と段部６６ａにより、開口部８０Ａ周縁には、装飾部材５０の壁部５３（後述）を嵌入可能な窪み８０Ｂが形成されている。
【００２３】
次に、本発明に係る装飾部材５０について説明する。
【００２４】
装飾部材５０は、図４〜図６に示すように、収納部８０の開口部８０Ａを閉塞して前面枠２の外壁面を構成する壁部５３と、前面カバー部材６６の発光源となるランプ５１ａ，…を実装したランプ基板５１と、該ランプ基板５１を取付可能な基板取付部５２と、を備えている。
【００２５】
壁部５３は、図２及び図５に示すように、収納部８０の開口部８０Ａを閉塞し得る形状に形成されている。壁部５３の外壁面には、図２に示すように、遊技機の種類を識別可能とする識別情報９０が表記されている。この識別情報９０としては、当該遊技機の種類を視覚的に識別可能であれば如何なる態様としてもよく、ここでは、当該遊技機の種類を文字で表したもの（機種名）が識別情報として用いられている。例えば、当該遊技機の種類を、記号やキャラクタ等で表現したものや、当該遊技機の製造元或いは販売元を、文字、記号、キャラクタ等で表現したものを、識別情報として用いることも可能である。また、当該遊技機の種類を視覚的に識別可能であれば、壁部５３の形状（平面形状、立体形状）や色彩をもって識別情報とすることも可能である。
この壁部５３の内壁面には、図５に示すように、遊技機の中心方向に向けて、基板取付部５２が突設されている。壁部５３と基板取付部５２とは、合成樹脂により一体成形されている。
【００２６】
ランプ基板５１は、図６に示すように、パネル収容部３ａの周縁と上部ベース部材６０Ａの周縁との間に挟まれる領域に収容し得る形状に形成され、スピーカ７７と前後に重なり合う状態で配置されている。即ち、前面枠２の限られたスペースを有効に活用しながらも、迫力のある音と光の演出が可能となっている。
ランプ基板５１には、その前面側に複数のランプ５１ａ，…が実装されている。また、ランプ基板５１には、信号線５１ｄを裏面側に通すための配線挿通部５１ｃや、当該ランプ基板５１を基板取付部５２に取り付けるための取付穴５１ｂ（図７）などが設けられている。
【００２７】
基板取付部５２は、図５に示すように、壁部５３と略垂直な板状の起立面５２Ａを有している。この起立面５２Ａの前面側には、ランプ基板５１を取り付けるための取付支柱５５，…が立設され、起立面５２Ａの裏面側には、当該装飾部材５０を上部ベース部材６０Ａに取り付けるための取付支柱５６が立設されている。
取付支柱５５は、図７に示すように、軸線が共通で外径の異なる大小の円柱を大きい方を下にして上下に組み合わせた形状の２段ボスとされ、その上段部５５ａの外径は、ランプ基板５１の取付穴５１ｂの内径より小さく、一方、下段部５５ｂの外径は、ランプ基板５１の取付穴５１ｂの内径より大きく設定されている。また、取付支柱５５の上段部５５ａの高さは、ランプ基板５１の厚さより大きく設定されている。
即ち、ランプ基板５１を基板取付部５２に取り付けた状態において、図７に示すように、取付支柱５５の上段部５５ａの外周面とランプ基板５１の取付穴５１ｂの内周面との間には、遊びｔ１が形成されるとともに、止着部材５４のフランジ部５４ｂの下面とランプ基板５１の上面との間には、遊びｔ２が形成されるようになっている。
従って、例えば、基板取付部５２に衝撃が加わったとしてもその衝撃が上記遊びｔ１、ｔ２により吸収されて、ランプ基板５１の破損やランプ切れ等が防止されることとなる。
【００２８】
次に、装飾部材止着部８５について説明する。
【００２９】
装飾部材止着部８５は、図５に示すように、前後方向に貫通する貫通穴を有する止着片８５ａと、該止着片８５ａを支持する支持部８５ｃと、止着片８５ａの周縁から前方に向けて突設され、基板取付部５２の取付支柱５６を位置決めする位置決め壁８５ｂと、を備えて構成されている。位置決め壁８５ｂは、正面視横Ｕ字形状に形成され、収納部８０の開口部８０Ａ側が開口している。
また、両装飾部材止着部８５の間には、図４に示すように、ランプ基板５１より延びる信号線５１ｄを通すための配線挿通孔８６が形成されている。
【００３０】
また、図５に示すように、上記止着片８５ａの背部には、上部ベース部材６０Ａの起立面、施錠装置４０の取付板４１（蝶番装置３０の取付板３１）、連結板３４が、前後方向に重なり合う状態で配置され、それら起立面、取付板４１（取付板３１）、連結板３４の各々には、前面枠２の裏面側に止着部材８８を露出させて前面枠２の裏面側より止着部材８８を取り外し可能とさせる開口部（止着部材挿通孔）４１ａ（３１ａ）、３４ａ、８９が設けられている。
【００３１】
次に、装飾部材５０の取付方法について説明する。
【００３２】
装飾部材５０の取付に先立って、スピーカ７７，７７と前面カバー部材６６を上部ベース部材６０Ａに取り付ける。前面カバー部材６６を上部ベース部材６０Ａに取り付けることで、前面枠２の両側部には、収納部８０，８０が形成されることとなる。
【００３３】
装飾部材５０を取り付けるには、先ず、収納部８０の開口部８０Ａに基板取付部５２の先端を臨ませ、この状態で、装飾部材５０を前進させることにより、徐々にランプ基板５１を収納部８０内に挿入していく。そして、ランプ基板５１をある程度挿入したところで、ランプ基板５１から延びる信号線５１ｄを、上部ベース部材６０Ａの配線挿通孔８６に通して上部ベース部材６０Ａの裏面側に導出させる。
その後、取付支柱５６が開口部８０Ａを通過する少し手前で、装飾部材５０を前方にスライドさせて、取付支柱５６を位置決め壁８５ｂに、壁部５３を開口部８０Ａ周縁の窪み８０Ｂに、それぞれ位置合わせした後、さらにランプ基板５１を前進させることにより、取付支柱５６を位置決め壁８５ｂに、壁部５３を窪み８０Ｂに、それぞれ嵌合させる。
しかる後、開口部３４ａ、４１ａ、３１ａ、８９を介して前面枠２の裏面側から、止着部材８８を、止着片８５ａの貫通穴、取付支柱５６の止着穴５６ａの順に通すことにより、装飾部材５０を上部ベース部材６０Ａに止着する。また、上部ベース部材６０Ａの裏面側に導出させた信号線５１ｄを、表示器５ａ背部の中継基板７８に接続する。これにより、装飾部材５０が上部ベース部材６０Ａに取り付けられた状態となる。
【００３４】
一方、装飾部材５０を取り外す場合には、先ず、信号線５１ｄと中継基板７８との接続を解除する。次に、前面枠２の裏面側から開口部３４ａ、４１ａ、３１ａ、８９にドライバ等の工具を挿入し、該工具により止着部材８８を取り外す。
そして、ランプ５１ａ，…が前面カバー部材６６に衝突しないように、装飾部材５０を前後にスライド或いは傾倒させながら、開口部８０Ａからランプ基板５１を引き出す。これにより、装飾部材５０を前面枠２から取り外すことができる。
【００３５】
以上のように、この実施の形態のパチスロ遊技機１００によれば、ランプ基板５１を備える装飾部材５０が、前面枠２の裏面側から止着部材８８により止着され、該止着部材８８が、他の部材を取り外さなくとも着脱できる位置に取り付けられているので、装飾部材５０を取り外す際に、他の部材を取り外す手間を省くことができる。
即ち、前面枠２の裏面側から止着部材８８を取り外すことによって、前面枠２の側部から、収納部８０に収納されているランプ基板５１を取り出すことができる。
従って、ランプ基板５１の着脱が容易となる。よって、例えば、ランプ基板５１にランプ切れ等の故障が発生した場合には、ランプ基板５１の交換作業が容易となり、ランプ基板５１をリサイクルする場合には、ランプ基板５１の分離回収作業が容易となる。
【００３６】
また、遊技機の種類を識別可能とする識別情報９０が壁部５３に表記されているので、当該パチンコ遊技機１００の種類を側面から識別可能となる。
従って、遊技機の設置されている島に対して垂直な通路から、その島に設置されている遊技機の種類を識別することが可能となる。よって、遊技機の正面からだけでなく、遊技機の設置されている島に対して垂直な通路からも、当該パチンコ遊技機１００を遊技者に対してアピールすることが可能となる。
【００３７】
なお、本発明はこの実施の形態のパチンコ遊技機に限られるものではなく、例えば、その他のパチスロ遊技機やスロットマシーン、或いはパチンコ遊技機、アレンジボール遊技機、雀球遊技機などの弾球遊技機にも適用可能である。
また、この実施の形態では、止着部材５４のフランジ部５４ｂの下面とランプ基板５１の上面との間に遊びｔ２を設けるようにしたが、例えば、止着部材５４のフランジ部５４ｂの下面とランプ基板５１の上面との間にゴム等の緩衝部材を挟むようにしてもよい。この場合、緩衝部材によりランプ基板５１に伝わる衝撃を吸収することができ、加えてランプ基板５１の振動を防止することもできる。
また、ランプ基板５１に実装されるランプ５１ａとしては、例えば、白熱灯、蛍光管、ＬＥＤなど、電力を利用して発光するものであれば、どのようなタイプのランプであってもよい。
また、この実施の形態では、装飾部材５０を収納する収納部として、前面枠２の側部上側に開口部８０Ａを有する収納部８０を例示したが、例えば、前面枠２の側部下側や、側部中央などに開口部を有する収納部であってもよい。
【００３８】
また、この実施の形態では、ランプ基板として、図６に示すランプ基板５１を例示したが、これに限られるものではなく、例えば、以下に示すような構成とすることも可能である。
【００３９】
〈第１の変形例〉
この第１の変形例では、図８に示すように、スピーカ７７と重なり合う部分を避けた状態で、ランプ基板１５１にランプ５１ａ，…が実装されている。この第１の変形例によれば、スピーカ７７の出力音により生じる振動がランプ５１ａ，…に伝わり難くなる。従って、スピーカ７７による振動によってランプ切れが生じることを減少させることができる。
【００４０】
〈第２の変形例〉
この第２の変形例では、図９に示すように、ランプ基板１５２に複数の貫通穴１５２ａ，…が設けられている。これら貫通穴１５２ａ，…は、スピーカ７７と前後に重なり合う部分に配置されている。この第２の変形例によれば、スピーカ７７から出力される音が、複数の貫通穴１５２ａ，…を通って、ランプ基板１５２より先に伝搬されることとなる。従って、スピーカ７７から出力される音が遊技者側に伝わり易くなる。
【００４１】
〈第３の変形例〉
この第３の変形例では、図１０に示すように、ランプ基板１５３に切欠部１５３ａを設け、該切欠部１５３ａを介して前方を臨む状態でスピーカ７７を配設している。この第３の変形例によれば、スピーカ７７の出力音により生じる振動がランプ５１ａ，…に伝わり難くなる。従って、スピーカ７７による振動によってランプ切れが生じることを減少させることができる。
また、スピーカ７７から出力される音がランプ基板１５３に遮られることがなくなり、スピーカ７７から出力される音が遊技者側に伝わり易くなる。
【００４２】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００４３】
本発明によれば、装飾部材を取り外す際に、他の部材を取り外す手間を省くことができる。
従って、ランプ基板の着脱が容易となる。例えば、ランプ基板にランプ切れ等の故障が発生した場合には、ランプ基板の交換作業が容易となり、ランプ基板をリサイクルする場合には、ランプ基板の分離回収作業が容易となる。
【００４４】
また、前面枠の限られたスペースを有効に活用しながらも、迫力のある音と光の演出が可能となる。
また、スピーカの出力音により生じる振動がランプに伝わり難くなる。従って、スピーカによる振動によってランプ切れが生じることを減少させることができる。
また、スピーカから出力される音が、複数の貫通穴を通って、ランプ基板より先に伝搬されることとなる。従って、スピーカから出力される音が遊技者側に伝わり易くなる。
【００４５】
また、スピーカの出力音により生じる振動がランプに伝わり難くなる。従って、スピーカによる振動によってランプ切れが生じることを減少させることができる。
また、スピーカから出力される音がランプ基板に遮られることがなくなり、スピーカから出力される音が遊技者側に伝わり易くなる。
【００４６】
また、迫力があって効果的な光による演出が可能となる。また、遊技機の外観をスッキリしたものとすることができる。
また、当該遊技機の種類を側面から識別可能となる。
従って、遊技機の設置されている島に対して垂直な通路から、その島に設置されている遊技機の種類を識別することが可能となる。よって、遊技機の正面からだけでなく、遊技機の設置されている島に対して垂直な通路からも、当該遊技機を遊技者に対してアピールすることが可能となる。
【図面の簡単な説明】
【００４７】
【図１】本発明に係る遊技機の一形態として例示するパチスロ遊技機の正面図である。
【図２】図１のパチスロ遊技機の右側面図である。
【図３】図１のパチスロ遊技機に備わる前面枠の背面図である。
【図４】図１のパチスロ遊技機に備わる前面枠上半部の分解斜視図である。
【図５】図１の矢印Ａ−Ａ線に沿った断面図である。
【図６】図５の装飾部材を示す正面図である。
【図７】図６の矢印Ｂ−Ｂ線に沿った平断面図である。
【図８】装飾部材の第１の変形例を示す正面図である。
【図９】装飾部材の第２の変形例を示す正面図である。
【図１０】装飾部材の第３の変形例を示す正面図である。
【符号の説明】
【００４８】
１      本体枠
２      前面枠
５０    装飾部材
５１    ランプ基板
５１ａ  ランプ
５２    基板取付部
５３    壁部
６０Ａ  上部ベース部材
６６    前面カバー部材
７７    スピーカ
８０    収納部
８０Ａ  開口部
８５    装飾部材止着部
８８    止着部材
９０    識別情報
１００  パチスロ遊技機（遊技機）
１５１、１５２、１５３  ランプ基板
１５２ａ  貫通孔
１５３ａ  切欠部
【図１】
0004417983.tif 000002
【図２】
0004417983.tif 000003
【図３】
0004417983.tif 000004
【図４】
0004417983.tif 000005
【図５】
0004417983.tif 000006
【図６】
0004417983.tif 000007
【図７】
0004417983.tif 000008
【図８】
0004417983.tif 000009
【図９】
0004417983.tif 000010
【図１０】
0004417983.tif 000011